(57)【要約】      （修正有）【課題】飲料用コップ用蓋に飲口を設けた蓋において、飲口の栓部やマドラーを保護して外れないようするともに、多少の液漏れがあっても外部に飛散することがなく、蓋に外部から埃等が付着することもなく、且つ、結露した液を外部に落下させないようしたコースターとしても使用できる覆い蓋を提供する。【解決手段】飲口を設けた蓋３をした飲料用コップ２において、蓋３の飲口を塞ぐ栓部４を施した状態で、これらの蓋３を含む全体を覆うように蓋３の縁３２に着脱自在した覆い蓋１であって、覆い蓋１を外した場合には飲料用コップ２のコースターとして用いることができ、覆い蓋１の上面部１２は平坦にして、反転してテーブル等に置く場合には該覆い蓋１が安定的に置くことができ、縁部１１１は上方に延びて液がこぼれるのを防いでコースターとして使用できる。【選択図】図２
2015167763.tif 000002
【特許請求の範囲】
【請求項１】
飲口を設けた蓋をした飲料用コップにおいて、
該蓋の飲口を塞ぐ栓部を施した状態で、これらの栓部を含む蓋全体を覆うように該蓋の外周縁部に着脱自在した覆い蓋であって、該覆い蓋を外した場合には飲料用コップのコースターとして用いることを特徴とする飲料用コップ用蓋の覆い蓋。
【請求項２】
前記覆い蓋の上面部は平坦にして、反転してテーブル等に置く場合には該覆い蓋が安定的に置くことができ、縁部は上方に延びて液がこぼれるのを防いでコースターとして使用できることを特徴とする請求項１に記載の飲料用コップ用蓋の覆い蓋。
【請求項３】
前記覆い蓋の上面部の全面にはフェルトを設けて、滑らないようにしたことを特徴とする請求項１又は２に記載の飲料用コップ用蓋の覆い蓋。
【請求項４】
請求項１の飲料用コップ用蓋の覆い蓋を、飲口に栓を挿入した飲料用コップ用の蓋に嵌合したことを特徴とする飲料用コップ。
【発明の詳細な説明】
【技術分野】
【０００１】
本発明は、飲口を設けた蓋をした飲料用コップにおいて蓋の飲口を塞ぐ栓部をした状態で、これらの全体を覆うように覆い蓋に関する飲料用コップ用蓋の覆い蓋、及び、それを用いた飲料用コップに関する。
【背景技術】
【０００２】
従来より、飲口を設けた蓋をした飲料用コップにおいて、特許文献１から３に開示されているように栓や、特許文献４に開示されているようにマドラーの枝の中間部分に設けたで栓部で蓋の飲口を塞ぐものが開発されている。
【先行技術文献】
【特許文献】
【０００３】
【特許文献１】特開２０１２−２３２７９２号公報
【特許文献２】意匠登録第１４３４０５３号公報
【特許文献３】意匠登録第１４３４０５４号公報
【特許文献４】特開２００７−２８９２５８号公報
【発明の概要】
【発明が解決しようとする課題】
【０００４】
ところで、従来の飲料用コップ用蓋に飲口を設けた飲料用コップを使用する場合に、飲料用コップを使用者が手に持って移動する場合は、誤って、栓部やマドラーを外して液をこぼしてしまうことがあり、この場合には以下に珈琲等の液をこぼしてしまうという問題点があり、また、蓋に外部から埃等が付着するといった問題点があった。
また、夏場に冷たい飲料をプラスチックコップの容器に入れると、容器の外周に結露した液が床等に落下するといった問題点があった。
本発明の課題は、このような問題点に鑑みてなされたもので、飲料用コップに用いる飲口を設けた蓋において、蓋に挿入した栓部やマドラーを保護して外れないようするともに、多少の液漏れがあっても外部に飛散することがなく、蓋に外部から埃等が付着することもなく、且つ、結露した液を外部に落下させないようしたコースターとしても使用できる飲料用コップ用蓋の覆い蓋を提供しようとするものである。
【課題を解決するための手段】
【０００５】
上記課題を解決するために、請求項１の発明は、飲口を設けた蓋をした飲料用コップにおいて、該蓋の飲口を塞ぐ栓部を施した状態で、これらの栓部を含む蓋全体を覆うように該蓋の外周縁部に着脱自在した覆い蓋であって、該覆い蓋を外した場合には飲料用コップのコースターとして用いることを特徴とする飲料用コップ用蓋の覆い蓋である。
請求項２の発明は、請求項１に記載の飲料用コップ用蓋の覆い蓋において、前記覆い蓋の上面部は平坦にして、反転してテーブル等に置く場合には該覆い蓋が安定的に置くことができ、縁部は上方に延びて液がこぼれるのを防いでコースターとして使用できることを特徴とする。
請求項３の発明は、請求項１又は２に記載の飲料用コップ用蓋の覆い蓋おいて、前記覆い蓋の上面部の全面にはフェルトを設けて、滑らないようにしたことを特徴とする。
請求項４の発明は、請求項１の飲料用コップ用蓋の覆い蓋を、飲口に栓を挿入した飲料用コップ用の蓋に嵌合したことを特徴とする飲料用コップである。
【発明の効果】
【０００６】
本発明の請求項１の飲料用コップ用蓋の覆い蓋、及び、請求項４のそれを用いた飲料用コップによれば、飲料用コップ用蓋に飲口を設けた栓部やマドラーを保護するので、蓋に多少の液漏れがあっても、その更に外側に飲料用コップ用蓋の覆い蓋が被せられているので、液が外部に飛散することがなく、また、蓋に外部から埃等が付着することもなく、且つ、飲料用コップ用蓋の覆い蓋を下に敷いて、飲料用コップを置けば、結露した液を外部に落下させない。
請求項２の飲料用コップ用蓋の覆い蓋によれば、請求項１の効果に加えて、コースターとして、覆い蓋の上面部は平坦にして、反転してテーブル等に置く場合には該覆い蓋が安定的に置くことができ、縁部は上方に延びて液がこぼれるのを防ぐように使用できる。特に、夏場に冷たい飲料をプラスチックコップの容器に入れると、容器の外周に大量の結露が生じるが、これらの液はコースター内に留まりテーブルに漏れたり床等に落下することがない。
請求項３の飲料用コップ用蓋の覆い蓋によれば、請求項１、２の効果に加えて、覆い蓋の上面部の全面にはフェルトを設けて、滑らないようにしたので、コースターとしてより安定して使用できる。
【図面の簡単な説明】
【０００７】
【図１】図１は、飲料用コップ用蓋に栓部を挿入した状態の飲料用コップの斜視図、
【図２】図１の蓋に栓部を挿入した状態の飲料用コップに、本発明の実施例の飲料用コップ用蓋の覆い蓋を被せて状態の斜視図、
【図３】図２の矢印Ａ方向からの側面図、
【図４】図４(ａ)は飲料用コップ用蓋の覆い蓋の斜視図、図４(ｂ)は図４(ａ)の平面図、図４(ｃ)は図４(ａ)の正面図、図４(ｄ)は図４(ａ)の底面図、
【図５】図４の飲料用コップ用蓋の覆い蓋を、コースターとして使用した状態の斜視図、
【図６】図５の図５の矢印Ｂ方向からの側面図、
【図７】飲料用コップ用蓋の覆い蓋の別の実施例２の斜視図である。
【発明を実施するための形態】
【０００８】
[実施例１]
本発明の飲料用コップ用蓋の覆い蓋の実施例１を図面に沿って説明する。
図１は、本発明の実施例１の飲料用コップ用蓋の覆い蓋を使用する対象の飲料用コップの斜視図であるが、飲料用コップ２の上縁部２１に蓋３が嵌合しており、この蓋３の一部には、飲み口用の開口部３１が設けられ、この開口部３１には飲み口用として使用する以外にストロー、マドラーを挿入する為に使用する。
そして、開口部３１には、飲料を飲まない場合には、図１に示すように、栓部４が挿入され、開口部３１から飲料がこぼれないしてしている。この栓部４は、栓部の機能を有するものであれば、前掲の特許文献４のように、マドラーの棒部の途中に設けた栓部でも同じである。
【０００９】
次に、図２、図３の図２の矢印Ａ方向からの側面図に沿って、図１の蓋部３に栓部４を挿入した状態の飲料用コップ２に、本発明の実施例１の飲料用コップ用蓋の覆い蓋１を被せたもので、このことを更に具体的に説明する。
この覆い蓋１は、図４(ａ)から(ｄ)に示すように、全体形状は円錐台形の透明或いは不透明のプラスチックのカップ状であって、上面部１２は平坦で、円錐台形の下部は下部外周縁１１の縁部１１１は蓋３の外周の外周縁部３２に嵌合するように、垂直部１１２が構成されており、蓋３の全体を覆うような形状である。なお、図３から判るように、栓部を覆い保護するためであるから、覆い蓋１の深さＤは、栓やマドラーの栓部４の高さＨ以上にするする必要がある。
したがって、いわば蓋の蓋である覆い蓋１を、蓋３に嵌合するには、図２に示すように、蓋３に栓部４を挿入し、蓋３の飲口である開口部３１を塞ぐために栓部４を施した状態で、この蓋３の外周の外周縁部３２に、覆い蓋１の下部外周縁１１の縁部１１１を嵌合する。したがって、蓋３に栓部４の挿入した状態を保護するとともに、蓋３に飲料が多少漏れがあっても、その更に外側に飲料用コップ用蓋の覆い蓋１が被せられているので、液が外部に飛散することがなく、また、覆い蓋１が蓋３を覆っているので、蓋３に外部から埃等が付着することもない。
【００１０】
次に、覆い蓋１をコースターとして使用する場合を、図５、図５の矢印Ｂ方向からの側面図に沿って説明する。
本実施例の覆い蓋１の上面部１２は平坦にして、覆い蓋１を反転してテーブルや机上等に置く場合には、覆い蓋１の上面部１２が平坦なので反転した覆い蓋１を安定的に置くことができ、且つ、下部外周縁１１は反転して縁部１１１は上方に延びて液がこぼれるのを防ぐようになる。特に、夏場に冷たい飲料をプラスチックの飲料用コップ２に入れると、飲料用コップ２の外周２２に大量の結露が生じるが、これらの液はコースターとしての覆い蓋１内に留まりテーブルに漏れたり床等に落下することがない。
【００１１】
[実施例２]
次に、図７を参照して、本発明の飲料用コップ用蓋の覆い蓋５の別の実施例２を説明する。
実施例２は、図７に示すように、飲料用コップ用蓋の覆い蓋５おいて、この覆い蓋５を蓋３に被せた状態の上面部５２の全面にはフェルト５３を設けて、この覆い蓋５を反転させ(図５、６参照)、上部面５２が底部となってテーブル等に接し、滑らないようにしたので、コースターとしてより安定して使用できる。
なお、飲料用コップ２(図５，６参照)の底部と接する覆い蓋５の内側底面５４にもフェルト(図示せず)を施してよく、この場合は、飲料用コップ２が滑らなく、たとえ飲料の液が多少こぼれても、フェルトが吸収するので、こぼれ出すことがない。また、覆い蓋５の下部外周縁５１、縁部５１１は、実施例１の覆い蓋１と同じであるので説明を省略し、他の構成、効果も実施例１と同じであるので説明は省略する。、
なお、本発明の特徴を損なうものでなければ、上記の各実施例に限定されるものでないことは勿論である。
【符号の説明】
【００１２】
１・・覆い蓋、１１・・下部外周縁、１１１・・縁部、
１２・・上面部、
２・・飲料用コップ、２１・・上縁部、２２・・外周
３・・蓋、３１・・開口部、３２・・外周縁部
４・・栓部、
５・・覆い蓋、５１・・下部外周縁、５１１・・縁部、
５２・・上面部、５３・・フェルト、５４・・内側底面
【図１】
2015167763.tif 000003
【図２】
2015167763.tif 000004
【図３】
2015167763.tif 000005
【図４】
2015167763.tif 000006
【図５】
2015167763.tif 000007
【図６】
2015167763.tif 000008
【図７】
2015167763.tif 000009